(57)【特許請求の範囲】
【請求項１】
内部に除湿手段および水受皿を有した本体と、この本体に取り出し自在に設けられる排水タンクと、この排水タンクに前記水受皿からの排水を案内する排水パイプと、この排水パイプの端部を閉鎖する形状で、前記排水タンクを前記本体に装着時には前記排水パイプの端部が開口されるシール部を設けたレバー部とを備え、前記シール部に、前記シール部に近接する本体の内壁側に対向して水の飛散するのを受け止める水受壁部を設け、前記シール部に設けられる前記水受壁部の前記排水タンクに対向する下面側を切欠いた除湿機。
【請求項２】
内部に除湿手段を有した本体と、この本体に取り出し自在に設けられる排水タンクと、この排水タンクの外壁部に設けた凹溝内に設けられる軸受と、この軸受に弾性力を介して装着され、回動自在に設けられる軸部を設けたフロートを有し、前記軸受に対する軸部の回動範囲を規制して前記フロートを所定位置にセットできる構成とした除湿機。
【請求項３】
内部に除湿手段を有した本体と、この本体の前面より取り出し自在に設けられる排水タンクと、前記本体を左右に分割して設けられる左側ケースおよび右側ケースと、この左側ケースと右側ケースを本体前面で接合するねじ部と、このねじ部を覆うとともに、左側ケースと右側ケースに設けたリブに係合する縁部を備え、内側から操作して着脱する爪を下部に備えた飾り板を有してなる除湿機。
【請求項４】
内部に除湿手段を有した本体と、この本体に取り出し自在に設けられる排水タンクと、この排水タンクの上部開口を着脱自在に覆う形状で排水口を設けた軟質性合成樹脂により形成されたタンクキャップと、このタンクキャップの表面に設けた凸部を有し、この凸部は前記排水タンクを本体に設けた排水タンク装着口より装着するときに、前記排水タンク装着口内面に当接して位置決めとなる構成とした除湿機。
【発明の詳細な説明】
【０００１】
【発明の属する技術分野】
本発明は、冷凍装置を用いた除湿機に関する。
【０００２】
【従来の技術】
従来、この種の除湿機において水受皿に溜まった水を、排水タンクの装着により排水タンクに排水させるものの一例として特開平９−８９２９５号公報に記載されたものが知られている。
【０００３】
以下、その構成について図２０〜図２２を参照しながら説明する。
【０００４】
図に示すように、除湿機本体１０１の内部に除湿手段として圧縮機１０２、凝縮器１０３、蒸発器１０４、送風機１０５を設け、蒸発器１０４から滴下した水を受ける水受皿１０６および排水タンク１０７を有している。
【０００５】
水受皿１０６内にドレン口１０８を設け、排水タンク１０７の出し入れと連動するレバー１０９にドレン口１０８と対向する球状の突起１１０を設け、排水タンク１０７が出されたときにドレン口１０８を閉止する弾力性を有した栓１１１をドレン口１０８と球状の突起１１０の間に配置している。
【０００６】
レバー１０９の先端に設けた球状の突起１１０の半径をドレン口１０８の開放部の内径１／２以下になるように形成したレバー１０９を有したものである。
【０００７】
また、排水タンク内の水位を測定して運転を制御するフロート手段を設けたものの一例として図２３および図２４を参照しながら説明する。
【０００８】
図に示すように、排水タンク２０１内にフロート２０２およびリードスイッチ（図示せず）をオン・オフする磁石２０３を設けたフロート本体２０４を軸２０５を介して回動自在に設け、排水タンク２０１内の水位が所定水位以上上昇するに伴い可動できるように、排水タンク２０１内に水が溜まっていない渇水時の場合や水位が所定位置に達していないときにフロート本体２０４を所定位置で受け止めておく受板２０６を排水タンク２０１内に設けていた。
【０００９】
【発明が解決しようとする課題】
このような従来の除湿機では、前者においては排水タンク１０７を除湿機本体１０１より取り出したときに、水受皿１０６に設けたドレン口１０８を弾力性を有した栓１１１を介して密閉し、ドレン口１０８から床面に向かい水滴が落下しないようにするものであって、排水タンク１０７の装着時に栓１１１が開放し水受皿１０６および、ドレン口１０８内に溜まった水がいきおいよく飛び出し栓１１１に衝突後、排水タンク１０７外に飛散して床面をぬらす恐れがあるという課題があり、排水タンク１０７の装着時に水受皿１０６およびドレン口１０８に溜まっていた水が排水タンク１０７外に飛散して床面等をぬらすのを防止することが要求されている。
【００１０】
また、後者においては、排水タンク２０１内にフロート本体２０４を所定位置で受け止めておく受板２０６を設けているため排水タンク２０１内面に付着した水あか等の汚れを取るとき、受板２０６が邪魔になり掃除が困難であるとともに、フロート本体２０４と受板２０６との接触音が高いという課題があり、掃除が容易で接触音等の騒音を少なくすることが要求されている。
【００１１】
本発明は、上記課題を解決するもので、排水タンクの装着時に水受皿等に溜まった水が床面等に飛散するのを防止することができ、また、フロートの設けられる排水タンクの清掃が容易で騒音の小さい除湿機を提供することを目的としている。
【００１２】
【課題を解決するための手段】
本発明の除湿機は上記目的を達成するために、内部に除湿手段および水受皿を有した本体と、この本体に取り出し自在に設けられる排水タンクと、この排水タンクに前記水受皿からの排水を案内する排水パイプと、この排水パイプの端部を閉鎖する形状で前記排水タンクを前記本体に装着時には前記排水パイプの端部が開口されるシール部を設けたレバーとを備え、前記シール部に、シール部に近傍する本体の内壁側に対向して水の飛散するのを受け止める水受壁部を設け、シール部に設けられる水受壁部の排水タンクに対向する下面側を切欠いたものである。
【００１３】
本発明によれば、排水タンクの装着時に水受皿に溜まった水が床面等に飛散するのを防止することができる除湿機が得られる。
【００１４】
本発明は、内部に除湿手段および水受皿を有した本体と、この本体に取り出し自在に設けられる排水タンクと、この排水タンクに前記水受皿からの排水を案内する排水パイプと、この排水パイプの端部を閉鎖する形状で前記排水タンクを前記本体に装着時には前記排水パイプの端部が開口されるシール部を設けたレバーとを備え、前記シール部に、シール部に近傍する本体の内壁側に対向して水の飛散するのを受け止める水受壁部を設け、シール部に設けられる水受壁部の排水タンクに対向する下面側を切欠いたものであり、排水タンクを本体に装着時において、水受皿および排水パイプに溜まっていた水が排水パイプの端部が開口され、いきおいよくシール部に衝突しても、シール部に設けた水受壁部により本体の内壁側に向かい水が飛散するのが受け止められ、排水タンク内に排水されることとなり、水が床面等に飛散して床面を汚染することが防止され、シール部に設けられる水受壁部の排水タンクに対向する下面側を切り欠いたので、シール部に衝突した水は、水受壁部を乗り越える前に切り欠き部分へ水を導き確実に排水タンクに排水することができるという作用を有する。
【００１５】
以下、本発明の実施例について図面を参照しながら説明する。
【００１６】
【実施例】
（前提例１）
図１〜図５に示すように、本体８は吸込口１と吹出口２を設け、内部に除湿手段として圧縮機３、凝縮器４、蒸発器５、送風機６を設け、蒸発器５から滴下した水を受ける水受皿７を有している。水受皿７の下方には排水タンクを配置し運搬時等に内部の水がこぼれないように小さな排水口９を設けた略じょうご状のタンクキャップ１０を上部に嵌合している。排水タンク１１の前部には内部の水位が見られる透視窓１２を有したタンクカバー１３を設けて排水タンク１１を形成し、本体８に設けた排水タンク装着口１４より排水タンク１１をスライドして着脱できるようにしている。
【００１７】
また、水受皿７には、水受皿７で受けられた水を排水タンク１１に案内して排水する排水パイプ１５を略Ｌ字状に形成し、上端部を水受皿７に連通している。レバー１８は水平状態の排水パイプ１５の端部１５ａを開口し、この端部１５ａに対向して端部１５ａの開口をばね１６のばね圧で常に閉鎖する形状のゴム等からなるシール部１７を有し、本体８側に可動自在に設けられている。シール部１７には、シール部１７に近傍する本体８の内壁８ａ側に対向して水の飛散するのを受け止める水受壁部１９を略１８０°の範囲を円弧状に囲み形成する。排水タンク１１を本体８内に装着したときに、レバー１８に係合してレバー１８を可動するレバー可動部２０を排水タンク１１側に設け、レバー１８の可動によりレバー１８と一体的に設けたシール部１７を移動し、排水パイプ１５の端部１５ａを開口するように設け構成する。
【００１８】
上記構成において、排水タンク１１が本体８内に装着された状態で除湿機を運転するときには、排水タンク１１側に設けたレバー可動部２０によりレバー１８が可動し、シール部１７は排水パイプ１５の端部１５ａより離れ、端部１５ａは開口した状態となる。送風機６により室内の多湿空気が吸込口１より本体８内に吸い込まれ、多湿空気中の水分が蒸発器５に結露され、除湿空気は吹出口２より室内に放散されて除湿される。
【００１９】
蒸発器５に結露された水分は水滴となって水受皿７に滴下し排水パイプ１５を通り端部１５ａの開口より排水タンク１１に設けたタンクキャップ１０の排水口９に排水される。排水タンク１１内に溜まった水が所定水位になるとフロート手段（図示せず）により運転が停止され、排水タンク１１内に水が溜まったことが知らされ、排水タンク１１を本体８より取り出して排水タンク１１内の水を排出する。
【００２０】
このときには、排水タンク１１を取り出すことにより、排水タンク１１側に設けたレバー可動部２０によるレバー１８に対する係合が解除され、レバー１８を介してシール部１７がばね１６のばね圧により移動し、シール部１７により排水パイプ１５の端部１５ａの開口が閉鎖されることとなり、排水パイプ１５の端部１５ａより水が滴下することがなくなる。
【００２１】
しかしながら、運転停止後の一定時間は、蒸発器５に結露された水は水滴となって水受皿７に滴下し、排水パイプ１５内および水受皿５に水滴が溜まっている。
【００２２】
排水タンク１１内の水を排出したり掃除したのち、排水タンク１１を本体８の排水タンク装着口１４より本体８内に装着すると、排水タンク１１側に設けたレバー可動部２０によりレバー１８が可動し、レバー１８を介してシール部１７が排水パイプ１５の端部１５ａより離れ、端部１５ａが開口し、排水パイプ１５および水受皿７に溜まった水が一度に排水パイプ１５の端部１５ａの開口より流出し、水はシール部１７に衝突したのち排水タンク１１に排水される。
【００２３】
このとき、シール部１７に衝突した水が本体８の内壁８ａ側に向かい飛散しようとするものもあるが、シール部１７に設けた水受壁部１９により受け止められ排水タンク１１に排水されることとなる。
【００２４】
このように本発明の実施例１の除湿機によれば、内部に除湿手段としての圧縮機３、凝縮器４、蒸発器５、送風機６と、蒸発器５から滴下する水を受ける水受皿７を有した本体と、この本体８に取り出し自在に設けられる排水タンク１１と、この排水タンク１１に水受皿７の水を排水するように設けられる排水パイプ１５と、この排水パイプ１５の端部１５ａを閉鎖する形状で、排水タンク１１を本体８に装着時には排水パイプ１５の端部１５ａが開口されるシール部１７を設けたレバー１８とを備え、前記シール部１７に、シール部１７に近傍する本体８の内壁８ａ側に対向して水の飛散するのを受け止める水受壁部１９を設けたので、排水タンク１１の装着時に水受皿７等に溜まった水が床面等に飛散するのを防止することができる。
【００２５】
（実施例１）
図６および図７に示すように、シール部１７Ａに設けられる水受壁部１９Ａの排水タンク（図示せず）に対向する下面側に切り欠き部２１を設けた構成とする。
【００２６】
上記構成において、排水パイプ１５の端部１５ａから排出される水がシール部１７Ａに衝突したとき、水受壁部１９Ａにより水の飛散が受け止められるとともに、切り欠き部２１により矢印で示すように下方に向け排水され易くなる。
【００２７】
このように本発明の実施例２の除湿機によれば、シール部１７Ａに設けられる水受壁部１９Ａの下面側に切り欠き部２１を設けたので、排水パイプ１５より排水された水がシール部１７Ａに衝突したときの水は、水受壁部１９Ａを乗り越える前に切り欠き部２１へ水を導き、確実に水を排水タンクに導くことが可能となる。
【００２８】
（実施例２）
図８〜図１２に示すように、排水タンク１１Ａのタンクカバー１３寄りの外壁部に凹溝２２を設け、凹溝２２の上方部近傍に内方に向かう突起２３ａを有した軸受２３を排水タンク１１Ａ内に連通して設けている。軸受２３に嵌挿する形状で軸受２３に設けた突起２３ａに係合して一定範囲のみ回動できる係合部２４ａを軸部２４に形成し、この軸部２４をフロート支持部２５ａの端部に設けている。
【００２９】
フロート支持部２５ａはスラスト方向に弾性力が生じるようにＵ字状部を形成している。フロート支持部２５ａにはフロート２５および、本体８Ａに設けた機器の主回路をオン・オフするリードスイッチ２６Ａを作動する磁石２７Ａと、排水タンク１１Ａ内の満水時における所定水位まで水が溜まったことを知らせる表示装置（図示せず）をオン・オフするリードスイッチ２６Ｂを作動する磁石２７Ｂを設け構成する。
【００３０】
上記構成において、フロート２５は、排水タンク１１Ａに設けた軸受２３にフロート支持部２５ａの弾性力を介して軸部２４を装着し、軸受２３の突起２３ａに軸部２４の係合部２４ａが係合してフロート２５が軸受２３と軸部２４よりなる軸線上よりフロート２５が可動する側において支持されるように軸受２３に対する軸部２４の回動範囲を規制して設ける。このときには、磁石２７Ａがリードスイッチ２６Ａをオンして運転状態となる。
【００３１】
そして、運転が続行して排水タンク１１Ａ内に水が溜まっていくと、フロート２５は水により押し上げられる。このとき、フロート２５は可動側となる一方向に軸部２４を支点に可動して上昇し、排水タンク１１Ａ内の水位が所定水位に到達すると、フロート２５側に設けた磁石２７Ａがリードスイッチ２６Ａより離れ、リードスイッチ２６Ａはオフとなり、除湿機の運転が停止されるとともに、磁石２７Ｂがリードスイッチ２６Ｂに近接してリードスイッチ２６Ｂをオンして排水タンク１１Ａ内の水が満水になったことを表示装置により表示して知らしめる。
【００３２】
また、排水タンク１１Ａを本体８Ａより取り出したときには、磁石２７Ａと磁石２７Ｂの何れもがリードスイッチ２６Ａおよびリードスイッチ２６Ｂより離れることとなり、除湿機の運転は停止状態となり、表示装置による表示もなくなる。
【００３３】
そして、本体８Ａより取り出した排水タンク１１Ａを清掃するときには、排水タンク１１Ａ内に従来のような受板がないので清掃がし易くなる。
【００３４】
このように本発明の実施例３の除湿機によれば、排水タンク１１Ａの外壁部に設けた凹溝２２内に設けられる軸受２３と、この軸受２３に弾性力を介して装着され、回動自在に設けられる軸部２４を設けたフロート２５とを備え、軸受２３に突起２３ａを設け、軸部２４には軸受２３の突起２３ａに係合する係合部２４ａを設け、軸受２３に対する軸部２４の回動範囲を規制してフロート２５を所定位置にセットできる構成としたので、排水タンク１１Ａ内部にフロート位置固定用の受板を設ける必要がなく、排水タンク１１Ａの手入れが容易となる。また、軸受２３の突起２３ａと軸部２４の係合部２４ａとの接触によりフロート２５の回動範囲を決めているので、表面積の大きな平板状の受板にフロート２５が当接するときのガタガタという騒音を防止することができる。
【００３５】
（実施例３）
図１３〜図１７に示すように、本体８Ｂを左右に２分割して左側ケース２８Ａと右側ケース２８Ｂを形成し、左側ケース２８Ａと右側ケース２８Ｂの接合部分２９にねじ３０で左側ケース２８Ａと右側ケース２８Ｂを接合する接合片３１を各ケースに設けている。ねじ３０が設けられる本体８Ｂの前面側となる左側ケース２８Ａの接合部分２９より少し離れた位置にリブ２８ａを設け、右側ケース２８Ｂにも接合部分２９より離れた位置にリブ２８ｂを設けている。接合部分２９の上方部には、ねじ３０を覆うとともに、リブ２８Ａとリブ２８Ｂの外側に係合する縁部３２を有した断面逆Ｌ字形状の飾り板３３を取り付けている。飾り板３３の上端部に設けた引掛片３４を嵌入する引掛孔３５を接合部分の上方部に設けるとともに、飾り板３３の下方部には爪３６を設け、爪３６の係合される爪孔３７を排水タンク装着口１４の近傍の接合部分２９に設け構成する。
【００３６】
上記構成において、左側ケース２８Ａと右側ケース２８Ｂは接合部分２９において、両者に設けた接合片３１をねじ３０で接合することにより本体８Ｂが形成される。さらに接合部分２９に飾り板３３を取り付けることにより、飾り板３３の縁部３２が左側ケース２８Ａと右側ケース２８Ｂに設けた２種類のリブ２８ａと２８ｂに係合し、左側ケース２８Ａと右側ケース２８Ｂがより確実に接合され、左側ケース２８Ａと右側ケース２８Ｂが隙間を生じることなく強固に接合されることとなる。
【００３７】
また、飾り板３３を設けることにより、ねじ３０が覆われるために、使用者が誤って本体８Ｂを左側ケース２８Ａと右側ケース２８Ｂに分離できないようにするとともに体裁も良くなる。
【００３８】
そして、サービス修理時等において、本体８Ｂを左側ケース２８Ａと右側ケース２８Ｂに分解する必要があるときには、排水タンク装着口１４より指を入れ指先で、爪孔３７に係合している爪３６を爪孔３７より離脱した後、上部の引掛片３４を引掛孔３５より取り外すことによりねじ３０が露出し、ねじ３０を緩めて取り外すことにより本体８Ｂを左側ケース２８Ａと右側ケース２８Ｂに分離して修理および点検を行うことができる。
【００３９】
このように本発明の実施例４の除湿機によれば、本体８Ｂの前面より取り出し自在に設けられる排水タンク１１Ｂと、本体８Ｂを左右に２分割して設けられる左側ケース２８Ａおよび右側ケース２８Ｂと、この左側ケース２８Ａと右側ケース２８Ｂを接合片３１を介しねじ３０で接合するねじ部と、このねじ部を覆うとともに、左側ケース２８Ａと右側ケース２８Ｂに設けたリブ２８ａと２８ｂに係合する縁部３２および上部を引掛け、内側から操作して着脱できる爪３６を下部に有した飾り板３３とを設けたので、左側ケース２８Ａと右側ケース２８Ｂは隙間を生じないように強固に接合されるとともに、接合するねじ３０が覆われることにより体裁も良くなり、通常は分離ができない状態となる。
【００４０】
また、点検サービス、修理時等には専門業者が容易に飾り板３３を取り外して点検や修理を行うことができる便利差が得られる。
【００４１】
（実施例４）
図１８および図１９に示すように、ポリスチレン等の硬質性樹脂により形成され、前部にタンクカバー１３Ａを設けた排水タンク１１Ｂの上部開口を着脱自在に覆う形状で排水口９Ａを設けたポリエチレン等の軟質性樹脂により形成されたタンクキャップ１０Ａを設けている。このタンクキャップ１０Ａに排水タンク１１Ｂを本体８Ｃに設けた排水タンク装着口１４Ａより装着しセットしたときに、排水タンク装着口１４Ａの内面に当接して位置決めとなる凸部３８を設け構成する。
【００４２】
上記構成において、排水タンク１１Ｂは本体８Ｃに取り出し自在に設けるため、排水タンク１１Ｂと排水タンク装着口１４Ａとの間には隙間を設けているが、この隙間のために排水タンク１１Ｂが排水タンク装着口１４Ａに装着したときに、排水タンク１１Ｂが排水タンク装着口１４Ａの左側寄りまたは右側寄りに装着されることとなり本体８Ｃとの間にずれが生じ体裁も悪く、また、排水タンク１１Ｂが装着された位置で保持されないため、排水タンク１１Ｂががたついたり、振動等により位置がずれるという可能性がある。しかし排水タンク１１Ｂの上部開口を覆うタンクキャップ１０Ａを軟質性樹脂により形成し、排水タンク１１Ｂが排水タンク装着口１４Ａより装着されセットされた時点で排水タンク１１Ｂに設けたタンクキャップ１０Ａの凸部３８が排水タンク装着口１４Ａの内面に弾性係合して排水タンク１１Ｂの左右のずれ、および前後のずれのないように位置決めされる。したがって本体８Ｃに対する排水タンク１１Ｂの位置のずれによる体裁の悪さを解消するとともに、排水タンク１１Ｂをがたつくことなく確実に保持することができる。
【００４３】
このように本発明の実施例５の除湿機によれば、排水タンク１１Ｂの上部開口を着脱自在に覆う形状で排水口９Ａを設けた軟質性樹脂により形成されたタンクキャップ１０Ａと、このタンクキャップ１０Ａに排水タンク１１Ｂを本体８Ｃに設けた排水タンク装着口１４Ａより装着しセットしたときに、排水タンク装着口１４Ａ内面に当接して位置決めとなる凸部３８を設けたので、排水タンク１１Ｂを正確な位置にがたつくことなくセットすることができ体裁も良くなる。
【００４５】
【発明の効果】
以上の実施例から明らかなように、本発明によれば内部に除湿手段および水受皿を有した本体と、この本体に取り出し自在に設けられる排水タンクと、この排水タンクに前記水受皿の水を排水するように設けられる排水パイプと、この排水パイプの端部を閉鎖する形状で、前記排水タンクを前記本体に装着時には前記排水パイプの端部が開口されるシール部を設けたレバーとを備え、前記シール部に、シール部に近傍する本体の内壁側に対向して水の飛散するのを受け止める水受壁部を設け、シール部に設けられる水受壁部の排水タンクに対向する下面側を切欠いたので、排水タンクの装着時に水受皿に溜まった水が排水タンク外に飛散し床面等を汚染するのを防止することができ、シール部に設けられる水受壁部の排水タンクに対向する下面側を切り欠いたので、シール部に衝突した水は、水受壁部を乗り越える前に切り欠き部分へ水を導き確実に排水タンクに排水することができる除湿機を提供できる。
【００４６】
また、排水タンクの外壁部に設けた凹溝内に設けられる軸受と、この軸受に弾性力を介して装着され回動自在に設けられる軸部を設けたフロートとを備え、前記軸受に対する軸部の回動範囲を規制して前記フロートを所定位置でセットできる構成としたので、排水タンク内にフロート位置固定用の受板等を設ける必要がなくなるとともに、軸受と軸部の接触により、表面積大なる受板にフロートが当接して生ずるガタガタ音を防止することができる。
【００４７】
また、本体の前面より取り出し自在に設けられる排水タンクと、本体を左右に２分割して設けられる左側ケースおよび右側ケースと、この左側ケースと右側ケースを接合するねじ部と、このねじ部を覆うとともに左側ケースと右側ケースに設けたリブに係合する縁部および上部を引掛け内側から操作して着脱できる爪を下部に有した飾り板とを設けたので、左側ケースと右側ケースが強固に接合されるとともに、ねじ部分が覆われることにより体裁も良く、通常は左側ケースと右側ケースに分離できない状態を維持することができ、点検サービス、修理時には専門業者により容易に分離することができる。
【００４８】
また、排水タンクの上部開口を着脱自在に覆う形状で排水口を設けた軟質性樹脂等により形成されたタンクキャップと、このタンクキャップに前記排水タンクを本体に設けた排水タンク装着口より装着しセットしたときに、前記排水タンク装着口内面に当接して位置決めとなる凸部を設けたので、本体に対する排水タンクの位置ずれによる体裁の異差が解消でき、また、排水タンクはがたつくことなく確実に保持することができる。
【図面の簡単な説明】
【図１】  前提例１の排水タンクのセット時のシール部の状態を示す上面図
【図２】  同排水タンクのセット前のシール部の状態を示す上面図
【図３】  同排水パイプの端部を開閉するシール部の状態を示す斜視図
【図４】  同除湿機の断面図
【図５】  同本体より排水タンクを取り出した状態を示す斜視図
【図６】  本発明の実施例１の排水パイプの端部を開閉するシール部の状態を示す斜視図
【図７】  同排水パイプか排水された水の流れを示すシール部の正面図
【図８】  本発明の実施例２のフロートの構成を示す分解斜視図
【図９】  同排水タンクの渇水時におけるフロートの位置状態を示す側面図
【図１０】  同排水タンクの満水時におけるフロートの位置状態を示す側面図
【図１１】  同排水タンクの渇水時におけるリードスイッチと磁石との関係を示す断面図
【図１２】  同排水タンクの満水時におけるリードスイッチと磁石との関係を示す断面図
【図１３】  本発明の実施例３の飾り板と本体との関係を示す正面図
【図１４】  同飾り板を本体を取り付けた状態を示す正面図
【図１５】  同本体に取り付けられた飾り板を取り外すときの状態を示す断面図
【図１６】  同本体に取り付けられた飾り板の爪の係合を外した状態を示す断面図
【図１７】  同飾り板を本体に取り付けた状態を示す本体の斜視図
【図１８】  本発明の実施例４の排水タンクの側面図
【図１９】  同排水タンクを本体にセットした状態を示す断面図
【図２０】  従来の除湿機の断面図
【図２１】  同除湿機のドレン口とレバーの関係を示す断面図
【図２２】  同除湿機のレバーの斜視図
【図２３】  従来の他の例の排水タンクの渇水時におけるフロートの状態を示す断面図
【図２４】  同排水タンクの満水時におけるフロートの状態を示す断面図
【符号の説明】
３      圧縮機（除湿手段）
４      凝縮器（除湿手段）
５      蒸発器（除湿手段）
６      送風機（除湿手段）
７      水受皿
８      本体
８Ｂ    本体
８Ｃ    本体
８ａ    内壁
１０Ａ  タンクキャップ
１１    排水タンク
１１Ａ  排水タンク
１１Ｂ  排水タンク
１４Ａ  排水タンク装着口
１５    排水パイプ
１７    シール部
１７Ａ  シール部
１８    レバー
１９    水受壁部
１９Ａ  水受壁部
２１    切り欠き部
２２    凹溝
２３    軸受
２４    軸部
２５    フロート
２８Ａ  左側ケース
２８Ｂ  右側ケース
２８ａ  リブ  ２８ｂ  リブ
３０    ねじ
３２    縁部
３３    飾り板
３６    爪
３８    凸部
【図１】
0004684389.tif 000002
【図２】
0004684389.tif 000003
【図３】
0004684389.tif 000004
【図４】
0004684389.tif 000005
【図５】
0004684389.tif 000006
【図６】
0004684389.tif 000007
【図７】
0004684389.tif 000008
【図８】
0004684389.tif 000009
【図９】
0004684389.tif 000010
【図１０】
0004684389.tif 000011
【図１１】
0004684389.tif 000012
【図１２】
0004684389.tif 000013
【図１３】
0004684389.tif 000014
【図１４】
0004684389.tif 000015
【図１５】
0004684389.tif 000016
【図１６】
0004684389.tif 000017
【図１７】
0004684389.tif 000018
【図１８】
0004684389.tif 000019
【図１９】
0004684389.tif 000020
【図２０】
0004684389.tif 000021
【図２１】
0004684389.tif 000022
【図２２】
0004684389.tif 000023
【図２３】
0004684389.tif 000024
【図２４】
0004684389.tif 000025